(57)【要約】【課題】  ワイシャツやスーツの襟先端部に安定して取付けることが出来る襟飾りの提供。【解決手段】  襟飾りは三角形をした飾り部１と押え部材２の２ピース構造とし、飾り部１は三角形の表面３の両側辺５，５にＬ形断面の縁部６，６を設け、底辺側には概略Ｌ形をした両止着片８，８を設けると共に該止着片８，８には長穴９，９を形成している。そして上記押え部材２は弓形に湾曲した弾性部材で両先端部にはガイドピンを起立すると共に中央には引張りツマミ１３を起立し、該押え部材２の先端部を止着片８，８に係止すると共にガイドピンを長穴に嵌め、中央部を飾り部裏面に接触して弾性力を付勢する。そして襟先端部を上記飾り部１と押え部材２にて挟み込むことが出来る。【選択図】    図１
0003157925.tif 000002
【実用新案登録請求の範囲】
【請求項１】
ワイシャツやスーツの襟先端部に取付けることが出来る飾りにおいて、該襟飾りは三角形をした飾り部と押え部材の２ピース構造とし、飾り部は三角形の表面の両側辺にＬ形断面の縁部を設け、底辺側には概略Ｌ形をした両止着片を設けると共に該止着片にはガイドを形成し、そして上記押え部材は弓形に湾曲した弾性部材で両先端部にはガイド部材を設けると共に中央には引張りツマミを起立し、該押え部材の先端部を止着片に係止すると共にガイド部材をガイドに係合し、中央部を飾り部裏面に接触して弾性力を付勢し、そして襟先端部を上記飾り部と押え部材にて挟み込むことで襟飾りを取付け可能としたことを特徴とする襟飾り。
【請求項２】
上記止着片にはガイドとして機能する長穴を形成し、押え部材の両端に設けるガイド部材として上記長穴に嵌るガイドピンを起立した請求項１記載の襟飾り。
【請求項３】
上記押え部材の中央部表面に滑り止めとしてシリコン樹脂層を形成した請求項１、又は請求項２記載の襟飾り。
【請求項４】
上記押え部材の中央部表面に細かい複数の凸片を設けた請求項１、又は請求項２記載の襟飾り。
【考案の詳細な説明】
【技術分野】
【０００１】
本考案はワイシャツの襟やスーツの襟に簡単に取付けることが出来る襟飾りに関するものである。
【背景技術】
【０００２】
一口に装飾品といってもその種類は色々あり、身に付ける最も代表的なものとしては指輪、イヤリング、ネックレス、ペンダントなどである。そして、指輪一つをとってもその形態は多種多様化しているが、該指輪であれば指に嵌めることで手軽に身に付けることが出来、しかも何時でも指から取外すことが可能である。イヤリングやネックレスの場合も同じく、その着脱は到って簡単である。
【０００３】
ところで、本考案はスーツやワイシャツの襟に取付けることが出来る装飾品を対象としているが、スーツの襟であればバッジや記章を取付けることはあるが装飾品とは異なる。そして、バッジや記章はピン止めしているか、又は襟に貫通穴を設けてネジ止めしている。しかし、ネジ止めするには襟に貫通穴が必要となり、ピン止めするならば襟表面が損傷してキズ付く。
【０００４】
従来においてもワイシャツの襟に取付ける装飾に関しての技術は幾つか知られている。例えば、実開昭６２−１５７４１０号に係る「襟先装飾金具」は、頂角を挟む対向２辺を裏側へＵ字状に折り曲げて保持片を形成し、該保持片間に加圧片を屈曲形成したレバーの屈曲基部側縁を回動自由に枢着すると共に、両保持片の内側に加圧片と掛脱する掛合部を有す抑止舌片を付設して、レバーを回動操作することで抑止舌片を介して着脱可能としている。
【０００５】
実開昭５０−９２９４号に係る「えり飾り具」は、衣服のえり先を収納する収納部を形成した本体と、この本体のえり先からの脱落を防止する手段とを具備している。脱落防止手段の具体例としてネジ止めを用いている。
実公昭５９−２９５５６号に係る「襟飾」は、上記実開昭５０−９２９４号に係る「えり飾り具」と類似している。すなわち、三角形状を呈す金属板の両端部を其の底辺の両端より内側に入った点と頂点とを結ぶ線に於いて裏面にＵ字状に捲り返すことによってワイシャツ若しくは其の他のシャツの襟の尖端部に嵌着するのに適した鞘形の飾部材を構成し、この飾部材における捲り返し箇所の尖端間の中心に雌ネジを切設した止片を渡し状態に固定すると共に当該雌ネジに襟の尖端部を押え止める雄ネジを有している。
【０００６】
【特許文献１】実開昭６２−１５７４１０号に係る「襟先装飾金具」
【特許文献２】実開昭５０−９２９４号に係る「えり飾り具」
【特許文献３】実公昭５９−２９５５６号に係る「襟飾」
【考案の開示】
【考案が解決しようとする課題】
【０００７】
このようにカッターシャツの襟先端に取付けることが出来る飾りは色々知られている。そして、これら襟飾りが外れ落ちないように止着する手段としてネジ止めしたり、又はレバー操作で作動する抑止片を用いている。ネジ止めにて固く締め付けるならば外れ落ちることはないが、襟にキズが残り、遂には穴となってしまう。本考案が解決しようとする課題はこの問題点であり、襟にキズ付けることなく、着脱自在に取付けることができる襟飾りを提供する。
【課題を解決するための手段】
【０００８】
本考案に係る襟飾りは襟に簡単に取付け・取外しすることが出来る構造とし、この場合、襟には貫通穴を設けたりキズを付けることがないようにしている。そこで、この襟飾りは飾り部と押え部材で構成し、該飾り部は三角形と成っていて、襟の先端部表面に重なり合うことが出来る形状としている。そして、押え部材は襟先端部裏面に重なり合うことが出来、上記飾り部とで襟先端部を挟み込むことが出来る構造としている。
【０００９】
ここで、上記飾り部の表面は模様、図形、及び色彩などが施されているが、その具体的な形態は限定しないことにする。三角形をした飾り部は頂点から延びる両側辺にはＬ形断面の縁部を裏側へ形成し、そして底辺側には概略Ｌ形をした止着片を形成し、該止着片には長穴などで形成したガイドを設けている。一方の押え部材は両端にガイドピンが起立し、ガイドピンは上記止着片に形成した長穴に嵌ってスライド可能としている。ただし、上記ガイドピンに限定せず、止着片に設けたガイドに係合してスライド可能な構造であればよい。
【００１０】
そして、押え部材は弾性に優れた材質で構成され、その形状は弓形に湾曲しており、中立部位には引張りツマミが起立している。従って、押え部材の両端は飾り部の両止着片に係合すると共に、ガイドピンは長穴に遊嵌し、湾曲した中央部表面は飾り部の裏面に接し、弾性力（バネ力）を付勢している。ツマミを引くならば変形して中央部は飾り部から離れ、ガイドピンは長穴に沿って移動する。ここで、襟との滑り止め機能を備える為に、押え部材の表面にシリコン樹脂層、又は小さい凸片を複数形成することもある。
【考案の効果】
【００１１】
本考案に係る襟飾りはワイシャツやスーツの襟に取付けることが出来、従来の指輪、イヤリング、ネックレスなどとは異なる装飾効果が得られる。そして、この襟飾りは飾り部と押え部材とで襟を挟み込むことで取付けられ、バッジを取付ける場合に設けている貫通穴は必要でない。そして、押え部材は弓形に湾曲した形状を成し、該襟先端部は飾り部と押え部材にて挟まれると共に、弾性力（バネ力）が付勢されることで該襟から外れ落ちることはなく、安定した取付けが得られる。
【００１２】
特に、押え部材の中央部表面にシリコン樹脂層などの滑り止め手段を講じるならば、襟に取付けた襟飾りは位置ズレすることもなく安定することが出来る。ところで、弓形に湾曲した押え部材の中央引張りツマミを引くことで飾り部との間に隙間が形成され、この隙間に襟先端部を挿入したところで引張りツマミを放すならば、押え部材と飾り部とで挟み込まれて取付けられる。
【図面の簡単な説明】
【００１３】
【図１】本考案に係る襟飾りで、（ａ）は表面図、（ｂ）は裏面図を示す。
【図２】飾り部の裏面に取付けられる押え部材。
【図３】襟先端部に取付けた襟飾り。
【図４】襟先端部に襟飾りを取付けた場合の断面図。
【考案を実施するための形態】
【００１４】
図１は本考案に係る襟飾りを表している実施例である。同図の１は飾り部、２は押え部材を夫々表し、飾り部１は三角形を成し、押え部材２は一定幅で弾性に優れた材質で構成され、飾り部１の裏面に取付けられている。そして、飾り部１はチタン、アルミニウム、又は樹脂などが用いられ、押え部材２は弾性樹脂、β―チタン、弾性金属（バネ材）が使用される。該襟飾りは襟先端部に取付けられる為にその重さは軽い方がよく、一般には１０ｇ程度に抑えられる。
【００１５】
上記三角形をした飾り部１はその表面３には模様、図形などが形成され、ワイシャツの襟先端部に取付けることで、大きな装飾効果を発揮することが出来る。勿論、材質をチタンとすることで、特別な装飾を施すことなく、研磨して光沢面を形成する場合もある。又、表面全体を平坦面とすることなく、凹凸面を形成することも可能である。そして、時には一部に貫通した穴模様を作る場合もある。
【００１６】
飾り部１は三角形で、その頂点４から延びる両側辺５，５にはＬ形断面をした縁部６，６を形成している。そして、底辺７の側には側辺５，５から大きく延びる概略Ｌ形の止着片８，８を有している。該止着片８は縁部６と同じくＬ形ではあるが、表面３に沿って大きく延び、貫通した長穴９を形成している。
【００１７】
そこで、上記押え部材２はその両先端部が両止着片８，８に係合して取付けられている。図２は押え部材２を単独で示す具体例であり、一定幅の板材から成り、厚さは中央部が薄く、両先端部１０，１０は厚く成っている。そして、両先端部１０，１０を除いた中央部１１は弾性変形することが出来るように、例えば弾性樹脂、β−チタン，弾性金属（バネ材）が用いられている。
【００１８】
先端部１０，１０にはガイドピン１２，１２が起立し、中央には引張りツマミ１３が起立している。この押え部材２を飾り部１の裏側に取付けた状態が前記図１（ｂ）であり、中央部１１の表面１４は飾り部１の裏面１５に接し、ガイドピン１２，１２が起立する基部１６，１６は止着片８，８の裏面に接している。しかも、中央部１１の表面１４は弾性変形して弾性力を裏面１５に付勢することが出来る。
【００１９】
この場合、両ガイドピン１２，１２は止着片８，８に形成した長穴９，９に嵌り、押え部材２が弾性変形することで、ガイドピン１２，１２は長穴９，９に沿って移動することが出来る。すなわち、引張りツマミ１３を引くならば、中央部１１の表面１４は裏面１５から離れ、その結果、ガイドピン１２，１２は両外側へ移動する。逆に、引張りツマミ１３を放すならば、表面１４が裏面１５に接すると共に両ガイドピン１２，１２は中央側へ移動する。
【００２０】
従って、引張りツマミ１３を引くことで裏面１５との間に隙間を形成し、この隙間にカッターシャツの襟先端部を挿入することが出来、該引張りツマミ１３を放すならば、押え部材２と飾り部１にて襟先端部が挟み込まれる。従って、襟飾りは襟先端部に取付けられて、外れ落ちることはない。
【００２１】
図３はカッターシャツの襟先端部に襟飾りＡ，Ａを取付けた場合を示している。このように、本考案の襟飾りＡは襟の先端部に取付けることが出来、しかも簡単に取外しすることも出来る。図４は襟先端部に本考案の襟飾りを取付けた状態の断面図を示している。
【００２２】
三角形をした襟先端部は両縁部６，６に当るまで飾り部１に挿入されて押え部材２で押圧される。すなわち、襟先端部を挿入する際には、引張りツマミ１３を引いて飾り部１の裏面１５との間に隙間を作る。そして、該隙間から挿入して襟先端部が両縁部６，６に当ったところで引張りツマミ１３を放すならば、押え部材２の弾性力にて襟飾りが取付けられる。ところで、飾り部１の裏面に取付けられる押え部材２の形状は上記図２に示した一定幅の弾性部材に限定するものではない。飾り部１と同じ形状の三角形とした押え部材２とすることも出来る。
【符号の説明】
【００２３】
１  飾り部
２  押え部材
３  表面
４  頂点
５  側辺
６  縁部
７  底辺
８  止着片
９  長穴
10  先端部
11  中央部
12  ガイドピン
13  引張りツマミ
14  表面
15  裏面
16  基部
【図１】
0003157925.tif 000003
【図２】
0003157925.tif 000004
【図３】
0003157925.tif 000005
【図４】
0003157925.tif 000006